【手続補正書】
【提出日】平成24年1月6日(2012.1.6)
【手続補正１】
【補正対象書類名】明細書
【補正対象項目名】００１１
【補正方法】変更
【補正の内容】
【００１１】
上記目的を達成するため、本出願に係る第１の発明は、トナー担持体及び規制部材を有する現像装置を用い、該トナー担持体にトナーを担持し、該規制部材によって該トナー担持体に担持されたトナーの量を規制し、該トナー担持体に担持された該トナーによって、像担持体に担持された静電潜像を現像する現像方法であって、
該現像装置は、該トナー担持体を回転自在に支持する現像枠体と、該現像枠体の長手方向に沿って設けられた該現像枠体の開口部に、該像担持体と近接するようにして支持される該トナー担持体と、該規制部材と、該現像枠体の開口部の下面側に、開口部の長手方向に沿って一端が固定されており、他端が該トナー担持体の下部側にその長手方向に沿って接するように設けられたシート部材とを有しており、
該トナーは結着樹脂、着色剤及びワックスを少なくとも含有するトナー粒子と、シリカ微粒子を有し、
該シリカ微粒子は、少なくともシリコーンオイルによる処理が施されており、シリコーンオイルの炭素量基準の固定化率が３０質量％以上であり、
該シート部材に対する該トナーの帯電量の絶対値が１２．０ｍＣ／ｋｇ以下であることを特徴とする現像方法に関する。
【手続補正２】
【補正対象書類名】明細書
【補正対象項目名】００１２
【補正方法】変更
【補正の内容】
【００１２】
本出願に係る第２の発明は、該シート部材はポリフェニレンスルフィドを５０質量％以上含有することを特徴とする現像方法に関する。
【手続補正３】
【補正対象書類名】明細書
【補正対象項目名】００１３
【補正方法】変更
【補正の内容】
【００１３】
本出願に係る第３の発明は、該トナーのメタノール／水混合溶媒に対する濡れ性試験において、波長７８０ｎｍの光の透過率が５０％の時のメタノール濃度が、６０体積％以上であることを特徴とする現像方法に関する。
【手続補正４】
【補正対象書類名】明細書
【補正対象項目名】００１４
【補正方法】変更
【補正の内容】
【００１４】
また、本出願に係る第４の発明は、画像処理解像度５１２×５１２画素（１画素あたり０．３７μｍ×０．３７μｍ）のフロー式粒子像測定装置によって計測された前記トナーの平均円形度が０．９４５以上１．０００以下であることを特徴とする現像方法に関する。
【手続補正５】
【補正対象書類名】明細書
【補正対象項目名】００１５
【補正方法】変更
【補正の内容】
【００１５】
本出願に係る第５の発明は、
ｉ）静電潜像を担持する像担持体と、
ｉｉ）トナー担持体を回転自在に支持する現像枠体と、該現像枠体の長手方向に沿って設けられた該現像枠体の開口部に該像担持体と近接するようにして支持されるトナー担持体と、該トナー担持体に担持されたトナーの量を規制するための規制部材と、該現像枠体の開口部の下面側に、開口部の長手方向に沿って一端が固定されており、他端が該トナー担持体の下部側にその長手方向に沿って接するように設けられたシート部材とを有する現像装置と、
を有する画像形成装置であって、
該トナーは結着樹脂、着色剤及びワックスを少なくとも含有するトナー粒子と、シリカ微粒子を有し、
該シリカ微粒子は、少なくともシリコーンオイルによる処理が施されており、シリコーンオイルの炭素量基準の固定化率が３０質量％以上であり、
該シート部材に対する該トナーの帯電量の絶対値が１２．０ｍＣ／ｋｇ以下であることを特徴とする画像形成装置に関する。
【手続補正６】
【補正対象書類名】明細書
【補正対象項目名】００１６
【補正方法】変更
【補正の内容】
【００１６】
さらに、本出願に係る第６の発明は、
ｉ）静電潜像を担持する像担持体と、
ｉｉ）トナー担持体を回転自在に支持する現像枠体と、該現像枠体の長手方向に沿って設けられた該現像枠体の開口部に該像担持体と近接するようにして支持されるトナー担持体と、該トナー担持体に担持されたトナーの量を規制する規制部材と、該現像枠体の開口部の下面側に、開口部の長手方向に沿って一端が固定されており、他端が該トナー担持体の下部側にその長手方向に沿って接するように設けられたシート部材とを有する現像装置と、
を有する画像形成装置に用いられるトナーであって、
該トナーは結着樹脂、着色剤及びワックスを少なくとも含有するトナー粒子と、シリカ微粒子を有し、
該シリカ微粒子は、少なくともシリコーンオイルによる処理が施されており、シリコーンオイルの炭素量基準の固定化率が３０質量％以上であり、
該シート部材に対する該トナーの帯電量の絶対値が１２．０ｍＣ／ｋｇ以下であることを特徴とするトナーに関する。
【手続補正７】
【補正対象書類名】明細書
【補正対象項目名】００１７
【補正方法】削除
【補正の内容】
【手続補正８】
【補正対象書類名】特許請求の範囲
【補正対象項目名】全文
【補正方法】変更
【補正の内容】
【特許請求の範囲】
【請求項１】
トナー担持体及び規制部材を有する現像装置を用い、該トナー担持体にトナーを担持し、該規制部材によって該トナー担持体に担持されたトナーの量を規制し、該トナー担持体に担持された該トナーによって、像担持体に担持された静電潜像を現像する現像方法であって、
該現像装置は、該トナー担持体を回転自在に支持する現像枠体と、該現像枠体の長手方向に沿って設けられた該現像枠体の開口部に、該像担持体と近接するようにして支持される該トナー担持体と、該規制部材と、該現像枠体の開口部の下面側に、開口部の長手方向に沿って一端が固定されており、他端が該トナー担持体の下部側にその長手方向に沿って接するように設けられたシート部材とを有しており、
該トナーは結着樹脂、着色剤及びワックスを少なくとも含有するトナー粒子と、シリカ微粒子を有し、
該シリカ微粒子は、少なくともシリコーンオイルによる処理が施されており、シリコーンオイルの炭素量基準の固定化率が３０質量％以上であり、
該シート部材に対する該トナーの帯電量の絶対値が１２．０ｍＣ／ｋｇ以下であることを特徴とする現像方法。
【請求項２】
該シート部材はポリフェニレンスルフィドを５０質量％以上含有することを特徴とする請求項１に記載の現像方法。
【請求項３】
該トナーのメタノール／水混合溶媒に対する濡れ性試験において、波長７８０ｎｍの光の透過率が５０％の時のメタノール濃度が、６０体積％以上であることを特徴とする請求項１又は２に記載の現像方法。
【請求項４】
画像処理解像度５１２×５１２画素（１画素あたり０．３７μｍ×０．３７μｍ）のフロー式粒子像測定装置によって計測された前記トナーの平均円形度が０．９４５以上１．０００以下であることを特徴とする請求項１乃至３のいずれかに記載の現像方法。
【請求項５】
ｉ）静電潜像を担持する像担持体と、
ｉｉ）トナー担持体を回転自在に支持する現像枠体と、該現像枠体の長手方向に沿って設けられた該現像枠体の開口部に該像担持体と近接するようにして支持されるトナー担持体と、該トナー担持体に担持されたトナーの量を規制するための規制部材と、該現像枠体の開口部の下面側に、開口部の長手方向に沿って一端が固定されており、他端が該トナー担持体の下部側にその長手方向に沿って接するように設けられたシート部材とを有する現像装置と、
を有する画像形成装置であって、
該トナーは結着樹脂、着色剤及びワックスを少なくとも含有するトナー粒子と、シリカ微粒子を有し、
該シリカ微粒子は、少なくともシリコーンオイルによる処理が施されており、シリコーンオイルの炭素量基準の固定化率が３０質量％以上であり、
該シート部材に対する該トナーの帯電量の絶対値が１２．０ｍＣ／ｋｇ以下であることを特徴とする画像形成装置。
【請求項６】
ｉ）静電潜像を担持する像担持体と、
ｉｉ）トナー担持体を回転自在に支持する現像枠体と、該現像枠体の長手方向に沿って設けられた該現像枠体の開口部に該像担持体と近接するようにして支持されるトナー担持体と、該トナー担持体に担持されたトナーの量を規制する規制部材と、該現像枠体の開口部の下面側に、開口部の長手方向に沿って一端が固定されており、他端が該トナー担持体の下部側にその長手方向に沿って接するように設けられたシート部材とを有する現像装置と、
を有する画像形成装置に用いられるトナーであって、
該トナーは結着樹脂、着色剤及びワックスを少なくとも含有するトナー粒子と、シリカ微粒子を有し、
該シリカ微粒子は、少なくともシリコーンオイルによる処理が施されており、シリコーンオイルの炭素量基準の固定化率が３０質量％以上であり、
該シート部材に対する該トナーの帯電量の絶対値が１２．０ｍＣ／ｋｇ以下であることを特徴とするトナー。